(57)【要約】【課題】効率的に遅延プロファイルを作成すること。【解決手段】ＲＦ処理部１０は、直交周波数分割多重された信号を受信する。ＦＦＴ部１４は、ＲＦ処理部１０によって受信された信号をＦＦＴ処理して、複数のサブキャリア信号に分離する。チャネル推定部１８は、ＦＦＴ部１４によって分離された複数のサブキャリア信号からそれぞれのチャネル推定値を算出する。遅延プロファイル生成部２０は、まず、チャネル推定部１８によって算出された複数のチャネル推定値を間引く。つぎに、遅延プロファイル生成部２０は、間引かれたチャネル推定値に対してＩＦＦＴ処理を実行して、遅延プロファイルを作成する。ＦＦＴ窓制御部２２は、遅延プロファイル生成部２０によって作成された遅延プロファイルを用いて、ＦＦＴ部１４における処理領域を制御する。【選択図】図１
2009088619.tif 000002
【特許請求の範囲】
【請求項１】
直交周波数分割多重された信号を受信する受信部と、
前記受信部によって受信された信号を離散フーリエ変換処理して、複数のサブキャリア信号に分離する離散フーリエ変換部と、
前記離散フーリエ変換部によって分離された複数のサブキャリア信号のそれぞれに対してチャネル推定値を算出するチャネル推定値算出部と、
前記チャネル推定値算出部によって算出された複数のチャネル推定値から、チャネル推定値を周期的に抽出する抽出部と、
前記抽出部によって抽出されたチャネル推定値に対して逆離散フーリエ変換処理を実行して、遅延プロファイルを生成する逆離散フーリエ変換部と、
を備えることを特徴とする遅延プロファイル生成装置。
【請求項２】
前記受信部によって受信される信号は、複数のシンボルから構成され、それぞれのシンボルにはガードインターバルが設けられており、
前記抽出部は、ガードインターバルの長さに応じて、抽出する割合を決定することを特徴とする請求項１に記載の遅延プロファイル生成装置。
【請求項３】
前記抽出部は、ガードインターバルが長くなるほど、抽出する割合を多くすることを特徴とする請求項２に記載の遅延プロファイル生成装置。
【請求項４】
前記抽出部は、２のｎ乗（ｎは正の整数）に１個の割合でチャネル推定値を抽出することを特徴とする請求項１から３のいずれかに記載の遅延プロファイル生成装置。
【請求項５】
直交周波数分割多重された信号を受信する受信部と、
前記受信部によって受信された信号を離散フーリエ変換処理して、複数のサブキャリア信号に分離する離散フーリエ変換部と、
前記離散フーリエ変換部によって分離された複数のサブキャリア信号のそれぞれに対してチャネル推定値を算出するチャネル推定値算出部と、
前記チャネル推定値算出部によって算出された複数のチャネル推定値から、チャネル推定値を周期的に抽出する抽出部と、
前記抽出部によって抽出されたチャネル推定値に対して逆離散フーリエ変換処理を実行して、遅延プロファイルを生成する逆離散フーリエ変換部と、
前記逆離散フーリエ変換部にて生成された遅延プロファイルにしたがって、前記離散フーリエ変換部における離散フーリエ変換処理の窓位置を制御する制御部と、
前記チャネル推定値算出部によって算出されたチャネル推定値を用いて、前記離散フーリエ変換部によって分離された複数のサブキャリア信号に対して、復調処理を実行する復調部と、
を備えることを特徴とする受信装置。
【請求項６】
直交周波数分割多重された信号を受信するステップと、
受信された信号を離散フーリエ変換処理して、複数のサブキャリア信号に分離するステップと、
分離された複数のサブキャリア信号のそれぞれに対してチャネル推定値を算出するステップと、
算出された複数のチャネル推定値から、チャネル推定値を周期的に抽出するステップと、
抽出されたチャネル推定値に対して逆離散フーリエ変換処理を実行して、遅延プロファイルを生成するステップと、
を含むことを特徴とする遅延プロファイル生成方法。
【発明の詳細な説明】
【技術分野】
【０００１】
本発明は、無線技術に関し、特にマルチパスを解析するための遅延プロファイル生成方法、および、それを利用した遅延プロファイル生成装置、受信装置に関する。
【背景技術】
【０００２】
近年、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式を地上波デジタルテレビジョン放送や無線ＬＡＮ（Ｌｏｃａｌ  Ａｒｅａ  Ｎｅｔｗｏｒｋ）などの様々な無線分野に適用するための応用研究が積極的に行われている。これらの無線放送や無線通信においては、送信アンテナから発射された電波は、様々な経路を経て受信アンテナに到達する。したがって、受信アンテナは、送信アンテナから最短距離で直接受信できる電波と、遅延して到達する遅延波とが混在されたマルチパス信号を受信することになる。この遅延波における遅延量が大きくなると、受信性能が著しく劣化することがある。このため受信側では受信性能の劣化を防ぐために、受信信号に含まれる遅延波の特性、すなわち遅延プロファイルを生成し、解析することが必要になる。
【０００３】
従来、遅延プロファイルを生成するために、ＦＦＴ（Ｆａｓｔ  Ｆｏｕｒｉｅｒ  Ｔｒａｎｓｆｏｒｍ）処理された受信信号からパイロット信号を抽出してチャネル推定値を算出し、算出されたチャネル推定値を補間し、さらにＩＦＦＴ（Ｉｎｖｅｒｓｅ  ＦＦＴ）処理することによって、遅延プロファイルを生成していた。（たとえば、特許文献１参照）。
【特許文献１】特開２００２−３００１３１号公報
【発明の開示】
【発明が解決しようとする課題】
【０００４】
しかしながら、ＩＦＦＴ処理するための信号点数が増加するにつれて、回路規模が増大してしまうといった課題があった。本発明はこうした状況に鑑みてなされたものであり、その総括的な目的は、効率的に遅延プロファイルを作成するための技術を提供することにある。
【課題を解決するための手段】
【０００５】
上記課題を解決するために、本発明のある態様の遅延プロファイル生成装置は、周波数分割多重された信号を受信する受信部と、受信部によって受信された信号を離散フーリエ変換処理して、複数のサブキャリア信号に分離する離散フーリエ変換部と、離散フーリエ変換部によって分離された複数のサブキャリア信号のそれぞれに対してチャネル推定値を算出するチャネル推定値算出部と、チャネル推定値算出部によって算出された複数のチャネル推定値から、チャネル推定値を周期的に抽出する抽出部と、抽出部によって抽出されたチャネル推定値に対して逆離散フーリエ変換処理を実行して、遅延プロファイルを生成する逆離散フーリエ変換部と、を備える。
【０００６】
なお、以上の構成要素の任意の組合せ、本発明の表現を方法、装置、システム、記録媒体、コンピュータプログラムなどの間で変換したものもまた、本発明の態様として有効である。
【発明の効果】
【０００７】
本発明によれば、効率的に遅延プロファイルを作成できる。
【発明を実施するための最良の形態】
【０００８】
本発明を具体的に説明する前に、まず概要を述べる。本発明の実施形態は、ＯＦＤＭ方式における復調装置に関する。本実施形態の復調装置は、地上波ディジタルテレビジョン放送などに好適である。
【０００９】
前述したように、無線通信においては、建物や壁に電波が反射することで、さまざまな経路を通って受信側に電波が届く「マルチパス」という現象が起こる。マルチパスが発生すると、送信アンテナから受信アンテナに直接届く電波（以下、直接波という。）に比べて、遅れて到達する遅延波が存在するため、前後の信号が重なり合い、信号の再生が困難となる。そのため、マルチパスを解析する必要が生じる。
【００１０】
ＯＦＤＭ方式においてマルチパスを解析するためには、遅延プロファイルを生成する。生成された遅延プロファイルには、直接波と遅延波が含まれ、それぞれの振幅と、現在のＦＦＴ処理を実施すべき処理領域（以下、ＦＦＴ窓位置という。）との相対時刻が示される。これらの情報を用いて、振幅の大きな信号をなるべく含むようにＦＦＴ窓位置が調節される。なお、以下においては、直接波の到着時刻と遅延波の到着時刻の差を「遅延量」と表記する。
【００１１】
遅延プロファイルの生成においては、まず、受信したＯＦＤＭシンボルに対してＦＦＴ処理を実施して複数のサブキャリア信号に分離する。さらに、サブキャリア信号ごとにチャネル推定処理を実行する。そして、チャネル推定処理されたサブキャリア信号をＩＦＦＴ処理して時間領域の信号に戻すことによって、遅延プロファイルを取得している。しかしながら、ＩＦＦＴ処理されるサブキャリア信号の数が多くなるにつれて、ＩＦＦＴ処理のための回路規模や処理時間が増大していた。
【００１２】
したがって、本実施形態においては、チャネル推定値を間引いてＩＦＦＴ処理対象を減少することによって、ＩＦＦＴ処理に要する回路規模を低減することとした。詳細は後述するが、ＯＦＤＭシンボルに含まれるガードインターバルの長さを考慮することによって、必要最低限な間引き量を決定する。これにより、ＩＦＦＴ処理に要する回路規模を低減しつつ、遅延波を捕捉するために必要十分な時間幅を有する遅延プロファイルを生成できることとなる。
【００１３】
図１は、本発明の実施形態に係る無線装置１００の構成例を示す図である。無線装置１００は、ＲＦ（Ｒａｄｉｏ  Ｆｒｅｑｕｅｎｃｙ）処理部１０と、アナログ／デジタル変換器１２（以下、「Ａ／Ｄ変換器１２」と表記する。）と、ＦＦＴ部１４と、パイロット抽出部１６と、チャネル推定部１８と、遅延プロファイル生成部２０と、ＦＦＴ窓制御部２２と、復調部３０とを含む。なお、説明の便宜上、復調系についてのみ図示している。
【００１４】
ＲＦ処理部１０は、アンテナで受信したＯＦＤＭ信号に対して、フィルタ処理などの高周波信号処理を実施する。Ａ／Ｄ変換器１２は、ＲＦ処理部１０から出力されたＯＦＤＭ信号をディジタル信号に変換して出力する。ＦＦＴ部１４は、Ａ／Ｄ変換器１２から出力されたディジタル信号に対して、ＦＦＴ処理を実行して、複数のサブキャリア信号を出力する。ＦＦＴ処理におけるＦＦＴ窓位置は、ＦＦＴ窓制御部２２により制御される。
【００１５】
図２は、図１のＦＦＴ部１４の出力例を示す図である。横軸は周波数を示し、Ｆ０、Ｆ１、・・・は、サブキャリアを示す。縦軸は時間を示し、シンボル１、２、・・・は、時間軸方向のシンボルを示す。図２においては、パイロットシンボルを「×」で示し、パイロットシンボル以外のシンボルを「○」で示している。パイロットシンボル以外のシンボルとは、たとえば、送信データが含まれたシンボルである。
【００１６】
図示するごとく、パイロットシンボルは、Ｆ０、Ｆ３、Ｆ６、・・・に示されるサブキャリアにのみ配置される。さらに、これらのサブキャリアのうち、時間軸方向において、３シンボルタイミングおきに、パイロットシンボルが配置される。このように、周波数軸、時間軸上に分散して配置されるパイロットシンボルをスキャッタードパイロットという。
【００１７】
図１に戻る。パイロット抽出部１６は、ＦＦＴ部１４から出力された複数のサブキャリアのうち、Ｆ０、Ｆ３、Ｆ６、・・・に示されるそれぞれのサブキャリアから、図２に示されるようなパイロットシンボルが割り当てられているタイミングにおいて、パイロットシンボルを抽出する。たとえば、Ｆ０やＦ６のサブキャリアにおいては、シンボル１、５、・・・のタイミングでパイロットシンボルを抽出し、また、Ｆ３のサブキャリアにおいては、シンボル２、６、・・・のタイミングで抽出すればよい。
【００１８】
チャネル推定部１８は、パイロット抽出部１６にて抽出されたパイロットシンボルを用いて、各シンボルについてのチャネル推定値を導出する。具体的には、チャネル推定部１８は、まず、パイロットシンボルについてのチャネル推定値を導出する。チャネル推定値は、公知の技術を用いて導出されてもよい。つぎに、チャネル推定部１８は、導出されたパイロットシンボルについてのチャネル推定値を用いて、時間軸方向に補間処理を実施する。
【００１９】
さらに、チャネル推定部１８は、周波数軸方向に補間して、同様にチャネル推定値を導出する。以上により、すべてのサブキャリアに含まれるシンボルについてのチャネル推定値を導出できる。なお、補間処理は、直線補間や、フィルタを用いた補間処理などが実施されてもよい。復調部３０は、チャネル推定部１８から出力されたチャネル推定値を用いて、ＦＦＴ部１４から出力された信号の復調処理を実行する。
【００２０】
遅延プロファイル生成部２０は、チャネル推定部１８によって導出されたサブキャリアごとのチャネル推定値を用いて、遅延プロファイルを生成し、ＦＦＴ窓制御部２２に出力する。詳細は後述する。
【００２１】
ＦＦＴ窓制御部２２は、遅延プロファイル生成部２０において生成された遅延プロファイルをもとに、ＦＦＴ窓位置を決定して、ＦＦＴ部１４に通知する。ＦＦＴ窓位置の決定の仕方については後述する。
【００２２】
図３は、図１の遅延プロファイル生成部２０の構成例を示す図である。遅延プロファイル生成部２０は、間引制御部２４と、間引処理部２６と、ＩＦＦＴ部２８とを含む。間引制御部２４は、間引処理部２６に対して、入力されるサブキャリアの数に対して出力される割合（以下、入出力比という。）を設定する。入出力比の値の決め方については後述する。間引処理部２６は、設定された入出力比にしたがって、入力された複数のサブキャリアを間引いて、ＩＦＦＴ部２８に入力すべきサブキャリアの数を減らす。たとえば、入出力比が１／３の場合、間引処理部２６は、入力された複数のサブキャリアから、３個に１個の割合で周期的にサブキャリアを抽出する。これにより、出力するサブキャリアの個数は、入力個数に比べ、１／３に減ることとなる。ＩＦＦＴ部２８は、間引処理部２６から入力されたサブキャリアに対して、ＩＦＦＴ処理を実施して、遅延プロファイルを生成する。
【００２３】
具体例を用いて、遅延プロファイル生成部２０の処理について説明する。図４（ａ）〜（ｃ）は、図３の遅延プロファイル生成部２０における入出力信号の例を示す図である。図４（ａ）は、図３の間引処理部２６において間引き処理が実施される前の入力信号系列を示す図である。横軸は周波数を示す。縦軸は振幅を示す。入力信号系列のＳ１〜Ｓ１６は、それぞれのサブキャリアのチャネル推定値を示す。図示するごとく、間引処理部２６には、チャネル推定部１８から、Ｓ１からＳ１６までの１６個のチャネル推定値が入力される。ここで、隣接するサブキャリア間の周波数差は、Δｆ０とする。
【００２４】
図４（ｂ）は、図３の間引処理部２６において間引き処理が実施された後の出力信号系列を示す図である。横軸は周波数を示す。縦軸は振幅を示す。ここでは、間引制御部２４から、入出力比として１／４が設定されたものとしている。入出力比＝１／４とは、４つの入力信号に対して３つの信号を間引き、１つの信号のみを抽出して出力することを示している。
【００２５】
この場合、図４（ａ）にて入力されたＳ１〜Ｓ１６の１６個のチャネル推定値のうちの１２個が間引かれて、Ｓ１、Ｓ５、Ｓ９、Ｓ１３の４個のチャネル推定値が出力されることとなる。この結果、隣接するサブキャリア間の周波数差は、Δｆ０からΔｆ１に広がることとなる。なお、Δｆ１は、「Δｆ０／入出力比」で表せるため、Δｆ１＝４×Δｆ０となる。
【００２６】
図４（ｃ）は、図３のＩＦＦＴ部２８の出力信号系列を示す図である。横軸は時間を示す。縦軸は振幅を示す。この出力信号系列は、図４（ｂ）の４つのサブキャリアのチャネル推定値をＩＦＦＴ処理した結果として出力された時間軸の信号列、すなわち、遅延プロファイルを示す。図示するごとく、直接波Ｓと遅延波Ｄ０とが出力されている。ここでは、Δｔの範囲で遅延プロファイルが生成されることを示している。
【００２７】
Δｔは、Δｆ１の逆数により決定される。そのため、Δｆ１が小さいほどΔｔが大きくなり、より広い範囲において遅延プロファイルが作成できることとなる。すなわち、より大きな遅延量を有する遅延波を遅延プロファイルにて捕捉できるようになる。入出力比との関係でいうと、入出力比が大きいほど、より大きな遅延量を有する遅延波を捕捉できるような、広い時間帯を有する遅延プロファイルを生成できる。一方、ＩＦＦＴ部２８の回路規模や処理時間を考慮した場合、入出力比は小さいほど望ましい。したがって、遅延波を十分に捕捉できる程度の時間幅を有する遅延プロファイルが生成でき、かつ、ＩＦＦＴ部２８の回路規模や処理時間に影響を与えない程度の入出力比を求めることが重要となる。
【００２８】
ここで、入出力比の決め方について具体的に説明する。前述したごとく、遅延波が存在する場合、前後の信号が重なりあって受信されるため、信号の再生が困難となる。そこでＯＦＤＭでは、この信号の重なりを防ぐために、送信すべきＯＦＤＭシンボルにガードインターバル（Ｇｕａｒｄ  Ｉｎｔｅｒｖａｌ。以下、ＧＩという。）を付加している。マルチパスが発生して受信時に前後の信号が多少重なってたとしても、ＧＩの分の余裕があるので、元の信号を取り出すのに十分な長さを有する部分であって、かつ、前後の信号が重なっていない部分が残ることとなる。そのため、マルチパスの影響を低減できることとなる。
【００２９】
図５は、図１のＦＦＴ部１４の入力信号の信号フォーマット２００の例を示す図である。横軸は時間を示す。図示するごとく、各シンボルは、ＧＩとデータシンボルとで構成される。ＧＩは、各シンボルの先頭部分に、末尾部分と同じものがコピーされて配置される。シンボルの長さがＬで表現される場合、ＧＩの長さは、Ｌ／Ｎとなる。Ｎは正の整数である。Ｎが小さいほど、ＧＩの部分が長くなり、より大きな遅延波に耐えられることとなる。すなわち、ＧＩの長さは、そのシンボルの遅延波耐性を示している。
【００３０】
ここで、ＦＦＴ窓位置の決定について具体的に説明する。図６（ａ）〜（ｂ）は、図１のＦＦＴ窓制御部２２における第１、第２の制御例を示す図である。横軸は時間を示す。図６（ａ）においては、遅延プロファイル生成部２０からＦＦＴ窓制御部２２に対して、遅延プロファイル４００が通知された場合を示している。遅延プロファイル４００は、ＡとＢとＣ１のそれぞれで示される３つの信号の受信タイミングが示されている。ここで、最も早く到着したＢを直接波４２０と呼ぶ。また、直接波４２０に遅れて到着したＡ、Ｃ１を遅延波と呼ぶ。遅延波のうち、最も振幅の大きい信号Ａを主波４１０と呼ぶ。また、Ｃ１を遅延波４３０と示す。
【００３１】
図示するごとく、遅延波４３０の先頭のタイミングは、直接波４２０のＧＩの中に収まっているため、ＦＦＴ窓制御部２２は、直接波４２０のＧＩの終わりから、データシンボル部分にかけてＦＦＴ窓位置４４０を設定する。このように設定することによって、遅延波４３０の影響を受けることなく、データ部分の復調が可能となるため、受信性能を向上できる。
【００３２】
図６（ｂ）においては、図６（ａ）の遅延プロファイル４００の代わりに、遅延プロファイル５００が生成された場合を示している。遅延プロファイル５００は、ＡとＢとＣ２のそれぞれで示される３つの信号の受信タイミングが示されている。ここで、直接波４２０に遅れて到着したＣ２を遅延波４５０と呼ぶ。Ｃ２は、図６（ａ）のＣ１に比べて、大きな遅延量を有している。
【００３３】
以上の状況において、主波４１０と直接波４２０と遅延波４５０のそれぞれにかかるシンボルは、図示されるようなタイミングで到着することとなる。ここで、遅延波４５０の先頭のタイミングは、直接波４２０のＧＩの中に収まっておらず、データシンボルが配置された領域の中に存在する。そのため、ＦＦＴ窓制御部２２は、直接波４２０ではなく、主波４１０を対象とし、主波４１０のＧＩの終わりから、データシンボル部分にかけてＦＦＴ窓位置４６０を設定する。直接波４２０ではないものの、振幅の大きい主波４１０をＦＦＴ処理の対象とすることで受信性能への影響を軽減させている。このように設定することによって、遅延波４３０は、主波４１０のＧＩの内部に収まるため、その影響を受けることなく、データ部分の復調が可能となる。
【００３４】
以上のごとく、遅延プロファイルは、ＦＦＴ窓制御部２２における制御のもととなるため、遅延波の到来タイミングを確実に導出することが必要とされる。許容される遅延量が大きい場合、遅延波を確実に捕捉するために、より広い時間帯において作成される必要がある。すなわち、ＧＩが長くなるほど、遅延プロファイルを作成すべき時間帯を広くする必要がある。
【００３５】
ここで、入出力比とＧＩの長さとの関係について検討する。前述したように、ＧＩが長くなるほど、遅延プロファイルを作成すべき時間帯を広くする必要がある。また、より広い時間帯を有する遅延プロファイルを作成するために、入出力比を大きくする必要がある。したがって、ＧＩが長くなるほど、入出力比を大きくする必要があることとなる。
【００３６】
特に、地上波デジタルテレビジョン放送においては、移動通信に比べて大きなアンテナが使用されるため、受信装置までの距離が長くなることが想定される。受信装置までの距離が長くなると、それにつれて遅延量も多くなる。したがって、地上波デジタルテレビジョン放送においては、移動通信に比べて、ＧＩは長めに設定されることとなる。したがって、入出力比を大きくする必要がある。しかしながら、前述したように、入出力比を大きくすることによって、ＩＦＦＴ部２８の回路規模等に影響を及ぼしかねない。
【００３７】
よって、本実施形態においては、間引制御部２４は、ＧＩの長さに応じて、最適な入出力比を決定することとした。これにより、ＩＦＦＴ部２８の回路規模や処理時間への影響を抑制しつつ、遅延波を十分に捕捉できる程度の時間幅を有する遅延プロファイルが生成できることとなる。具体的には、ＧＩの長さがパラメータにより選択されるような場合、間引制御部２４は、ＧＩの長さと入出力比との関係を示した表（以下、入出力比設定表という。）を参照することによって入出力比を決定する。
【００３８】
入出力比設定表を用いる場合について説明する。図７は、図３の間引制御部２４において参照される入出力比設定表３００の例を示す図である。入出力比設定表３００は、ＧＩ比欄３１０と入出力比欄３２０とを含む。ＧＩ比欄３１０に示されるＧＩ比は、ＧＩの長さをシンボルの長さで割った値となる。入出力比欄３２０は、ＧＩ比欄３１０に示されるＧＩ比の場合に設定されるべき入出力比を示す。
【００３９】
入出力比設定表３００において示した入出力比は、ＧＩ比に比べて、大きな値としている。これにより、ＩＦＦＴ部２８により作成される遅延プロファイルの時間帯は、より多くの時間帯で遅延波を検出できるようになる。すなわち、余裕を持って遅延波を検出できるように、入出力比をＧＩ比に比べて大きな値としている。
【００４０】
以上の状況において、図３の間引制御部２４は、まず、ＦＦＴ部１４から出力された信号からＧＩ比を取得する。ＦＦＴ部１４ではなく、図示しない制御部からＧＩ比を取得してもよい。つぎに、間引制御部２４は、図７の入出力比設定表３００を参照して、取得したＧＩ比に対応する入出力比を決定する。最後に、間引制御部２４は、決定した入出力比を間引処理部２６に伝える。
【００４１】
上述したこれらの構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４２】
つぎに、図１を参照しながら、本実施形態の動作について説明する。まず、ＲＦ処理部１０は、直交周波数分割多重された信号を受信する。つぎに、ＦＦＴ部１４は、受信部によって受信された信号をＦＦＴ処理して、複数のサブキャリア信号に分離する。チャネル推定部１８は、ＦＦＴ部１４によって分離された複数のサブキャリア信号からそれぞれのチャネル推定値を算出する。
【００４３】
遅延プロファイル生成部２０は、まず、チャネル推定部１８によって算出された複数のチャネル推定値を間引く。さらに、遅延プロファイル生成部２０は、間引処理部２６によって間引かれたチャネル推定値に対してＩＦＦＴ処理を実行して、遅延プロファイルを作成する。ＦＦＴ窓制御部２２は、遅延プロファイル生成部２０によって作成された遅延プロファイルを用いて、ＦＦＴ部１４におけるＦＦＴ窓位置を制御する。
【００４４】
なお、受信部によって受信される信号は、複数のシンボルから構成され、それぞれのシンボルにはガードインターバルが設けられている。ここで、遅延プロファイル生成部２０は、シンボルごとのガードインターバルの長さに応じて、間引く割合を決定する。また、ガードインターバルが長くなるほど、間引く割合を少なくしてもよい。
【００４５】
本発明の実施形態によれば、信号を間引くことによって、ＩＦＦＴ処理における回路規模や処理時間を低減できる。また、ガードインターバルの長さに応じて、間引く量を変えることで、ＩＦＦＴ処理における回路規模や処理時間への影響を低減しながら、遅延波を捕捉するために必要十分な遅延プロファイルを効率的に生成できる。
【００４６】
以上、本発明について実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００４７】
本発明の実施形態において、間引制御部２４は、ＧＩの長さに応じて入出力比を設定するとして説明したが、これにかぎらず、たとえば、間引制御部２４は、入出力比を２-ｎなるように設定してもよい。ｎは整数である。２-ｎという値は、ハードウェアを構成する上で相性の良い値であり、たとえば、２-ｎが乗数となる場合、シフト演算のみによって実現できるようになる。間引き処理においては、間引くタイミングを決定するためのカウンタのしきい値として２-ｎが用いられるため、間引処理部２６は、間引き処理を簡易な構成で実現できることとなる。また、間引き処理の後に実施されるＩＦＦＴ処理において、効率的にハードウェア量を低減できることとなる。
【００４８】
また、本発明の実施形態において、間引制御部２４は、図７に示すような入出力比設定表３００を参照することによって、入出力比を決定するとして説明したが、これにかぎらず、たとえば、ＧＩの長さと入出力比との関係式を用いてもよい。この場合であっても入出力比設定表３００を用いる場合と同等の効果を奏することができる。
【００４９】
具体的に説明する。間引制御部２４は、取得したＧＩ比に、予め設定された係数Ｍを乗じることによって、入出力比を設定する。Ｍは正の実数とする。遅延波を確実に捕捉するために、Ｍを１以上に設定することが望ましい。たとえば、Ｍを２とした場合、ＧＩ比と入出力比との関係は、図７に示した入出力比設定表３００と同様となる。
【００５０】
Ｍは、どの程度余裕をもって遅延波を捕捉するかを示すパラメータであり、Ｍを大きくするほど、作成される遅延プロファイルの時間帯が広げられることとなる。また、Ｍを小さくすることによって、作成される遅延プロファイルの時間帯が狭くなるものの、ＩＦＦＴ部２８に入力される処理点数が減少するため、処理時間を短縮することができる。通信品質に応じて、Ｍを柔軟に変更してもよい。以上のような態様により、Ｍを柔軟に設定することによって、効率的に、必要十分な遅延プロファイルを作成できる。
【図面の簡単な説明】
【００５１】
【図１】本発明の実施形態に係る無線装置の構成例を示す図である。
【図２】図１のＦＦＴの出力例を示す図である。
【図３】図１の遅延プロファイル生成部の構成例を示す図である。
【図４】図４（ａ）〜（ｃ）は、図３の遅延プロファイル生成部における入出力信号の例を示す図である。
【図５】図１のＦＦＴ部の入力信号の信号フォーマットの例を示す図である。
【図６】図６（ａ）〜（ｂ）は、図１のＦＦＴ窓制御部における第１、第２の制御例を示す図である。
【図７】図３の入出力比設定部において参照される入出力比設定表の例を示す図である。
【符号の説明】
【００５２】
１０  ＲＦ処理部、  １２  Ａ／Ｄ変換器、  １４  ＦＦＴ部、  １６  パイロット抽出部、  １８  チャネル推定部、  ２０  遅延プロファイル生成部、  ２２  ＦＦＴ窓制御部、  ２４  間引制御部、  ２６  間引処理部、  ２８  ＩＦＦＴ部、  １００  無線装置、  ２００  信号フォーマット、  ３００  入出力比設定表、  ３１０  ＧＩ比欄、  ３２０  入出力比欄。
【図１】
2009088619.tif 000003
【図２】
2009088619.tif 000004
【図３】
2009088619.tif 000005
【図４】
2009088619.tif 000006
【図５】
2009088619.tif 000007
【図６】
2009088619.tif 000008
【図７】
2009088619.tif 000009